(57)【特許請求の範囲】
【請求項１】
複数の架空送電線を一定間隔に保持するスペーサに用いられるルーズ電線把持部であって、
２つ割れのルーズクランプ本体と、一方の前記２つ割れのルーズクランプ本体の端部に上下方向に回転可能に取付けられたアイボルト軸と他方の前記２つ割れのルーズクランプ本体の端部に備わる貫通孔を貫通したアイボルト軸に取付けられるＳＰロックナットとから成る締結体と、前記一方の２つ割れのルーズクランプ本体の前記端部に取付けられ前記アイボルト軸の回転角度を制限するストッパーと、前記一方の２つ割れのルーズクランプ本体の前記ストッパーの反対側の端部に上下方向に回転可能に取付けられ前記他方の２つ割れのルーズクランプ本体の前記貫通孔の反対側の端部に具備された止め溝により固定される掛け金具と、前記他方の２つ割れのルーズクランプ本体の前記貫通孔側に具備され前記一方の２つ割れのルーズクランプ本体の有する溝内を可動し前記他方の２つ割れのルーズクランプ本体の左右方向の回転を制限する突起部と、前記一方の２つ割れのルーズクランプ本体の中央部の連結体設置穴を貫通し前記２つ割れのルーズクランプ本体と前記スペーサとを連結する連結体とを有し、
前記連結体を備える前記一方の２つ割れのルーズクランプ本体と前記他方の２つ割れのルーズクランプ本体とにより前記架空送電線を把持することを特徴とするルーズ電線把持部。
【請求項２】
複数の架空送電線を一定間隔に保持するスペーサに用いられるルーズ電線把持部であって、
２つ割れのルーズクランプ本体と、前記２つ割れのルーズクランプ本体を開閉自在に結合する２本の揺動軸と、一方の前記２つ割れのルーズクランプ本体の前記揺動軸と反対側に上下方向に回転可能に取付けられたアイボルト軸と他方の前記２つ割れのルーズクランプ本体に備わる片方が開放されたガイド溝を貫通した前記アイボルト軸に取付けられるＳＰロックナットとから成る締結体と、前記２つ割れのルーズクランプ本体の中央部の連結体設置穴を貫通した前記２つ割れのルーズクランプ本体と前記スペーサとを連結する連結体とを有し、
前記２つ割れのルーズクランプ本体は、前記連結体の回転角を制限する回転止めをそれぞれ有し、
前記一方の２つ割れのルーズクランプ本体と前記他方の２つ割れのルーズクランプ本体とにより前記架空送電線を把持することを特徴とするルーズ電線把持部。
【発明の詳細な説明】
【技術分野】
【０００１】
本発明は、複数の架空送電線を一定間隔に保持するスペーサに用いられる電線把持部に係り、詳しくは、取付け時にルーズクランプ本体が分離脱落することのないルーズ電線把持部に関する。
【背景技術】
【０００２】
図５は、特許文献１のスペーサの構成を示す構成図である。図５において、枠体１２、１２の軸対称にある偶数個の位置で、対称軸の一方で片側に設けた導体把持部１４、１４は素導体１６、１６を固定把持し、他方の片側に設けたルーズ導体把持部２０、２０は素導体１６、１６を所定の角度範囲で揺動自在に把持している。
【０００３】
このルーズ導体把持部２０は、素導体１６を把持する内管部材２６と、素導体１６と平行な揺動軸２８で開閉自在で内管部材２６が固定されている外管部材３０からなる二重管構造のルーズクランプ用本体２２に、隙間部３２とこの隙間部３２に達する軸回りのスリット３０ｆが設けられている。連結部材２４にこの隙間部３２に頭部が挿入されたスリット３０ｆに首部が貫通するＴ字状突起２４ａを設けて軸回りに揺動自在とし、ルーズクランプ用本体２２が軸回りに揺動自在に連結部材２４に配設されている。
【０００４】
図６は、図５のルーズ導体把持部の取付けを示す素導体把持図である。図６ａは、ルーズ導体把持部２０が素導体１６に取付けられたときの正面図を示し、図６ｂは、ルーズ導体把持部２０が素導体１６に取付けられたときの背面図を示している。このように、ルーズ導体把持部２０は、左右対称であり、それぞれ２個の締付ボルト３６及びスプリングロックナット３８で取付けられている。
【０００５】
ところで、再び図５において、スペーサ１０を素導体１６に取付ける場合、ルーズ導体把持部２０の連結部材２４は枠体１２に設置された状態で、ルーズクランプ用本体２２が素導体１６に取付けられる。このとき、ルーズ導体把持部２０を素導体１６に取付けるため、２個の締付ボルト３６及びスプリングロックナット３８が取り外されると、ルーズクランプ用本体２２は揺動軸２８で開閉自在となるため、連結部材２４から分離する場合があり、地上に脱落するという事故が発生することになる。
【先行技術文献】
【特許文献】
【０００６】
【特許文献１】特開平８−００９５４４号公報
【発明の概要】
【発明が解決しようとする課題】
【０００７】
本発明は、このような問題を解決するためになされたものであり、その目的は、架空送電線へのスペーサの取付け時に、ルーズクランプ本体が分離脱落することのないルーズ電線把持部を提供する。
【課題を解決するための手段】
【０００８】
本発明のルーズ電線把持部は、複数の架空送電線を一定間隔に保持するスペーサに用いられるルーズ電線把持部であって、２つ割れのルーズクランプ本体と、一方の２つ割れのルーズクランプ本体の端部に上下方向に回転可能に取付けられたアイボルト軸と他方の２つ割れのルーズクランプ本体の端部に備わる貫通孔を貫通したアイボルト軸に取付けられるＳＰロックナットとから成る締結体と、一方の２つ割れのルーズクランプ本体の端部に取付けられアイボルト軸の回転角度を制限するストッパーと、一方の２つ割れのルーズクランプ本体のストッパーの反対側の端部に上下方向に回転可能に取付けられ他方の２つ割れのルーズクランプ本体の貫通孔の反対側の端部に具備された止め溝により固定される掛け金具と、他方の２つ割れのルーズクランプ本体の貫通孔側に具備され一方の２つ割れのルーズクランプ本体の有する溝内を可動し他方の２つ割れのルーズクランプ本体の左右方向の回転を制限する突起部と、一方の２つ割れのルーズクランプ本体の中央部の連結体設置穴を貫通し２つ割れのルーズクランプ本体とスペーサとを連結する連結体とを有し、連結体を備える一方の２つ割れのルーズクランプ本体と他方の２つ割れのルーズクランプ本体とにより架空送電線を把持することを特徴とする。
【０００９】
本発明のルーズ電線把持部は、複数の架空送電線を一定間隔に保持するスペーサに用いられるルーズ電線把持部であって、２つ割れのルーズクランプ本体と、２つ割れのルーズクランプ本体を開閉自在に結合する２本の揺動軸と、一方の２つ割れのルーズクランプ本体の揺動軸と反対側に上下方向に回転可能に取付けられたアイボルト軸と他方の２つ割れルーズクランプ本体に備わる片方が開放されたガイド溝を貫通したアイボルト軸に取付けられるＳＰロックナットとから成る締結体と、２つ割れのルーズクランプ本体の中央部の連結体設置穴を貫通した２つ割れのルーズクランプ本体とスペーサとを連結する連結体とを有し、２つ割れのルーズクランプ本体は、連結体の回転角を制限する回転止めをそれぞれ有し、一方の２つ割れのルーズクランプ本体と他方の２つ割れのルーズクランプ本体とにより架空送電線を把持することを特徴とする。
【発明の効果】
【００１０】
本発明によれば、架空送電線へのスペーサの取付け時に、ルーズクランプ本体が分離脱落することのないルーズ電線把持部を提供することができる。
【図面の簡単な説明】
【００１１】
【図１】本発明の第１の実施例によるルーズ電線把持部の構成を示す構成図。
【図２】本発明の第１の実施例によるルーズ電線把持部の取付けを示す電線把持図。
【図３】本発明の第２の実施例によるルーズ電線把持部の構成を示す構成図。
【図４】本発明の第２の実施例によるルーズ電線把持部の取付けを示す電線把持図。
【図５】従来のスペーサの構成を示す構成図。
【図６】従来のルーズ導体把持部の取付けを示す素導体把持図
【発明を実施するための形態】
【実施例】
【００１２】
本発明の実施の形態について、図を用いて説明する。図１は、本発明による第１の実施例のルーズ電線把持部の構成を示す構成図である。図１において、ルーズ電線把持部１００は、２つ割れのルーズクランプ本体５０−１、２と、一方の２つ割れのルーズクランプ本体５０−１の端部に上下方向に回転可能に取付けられたアイボルト軸７１と、他方の２つ割れのルーズクランプ本体５０−２の端部に備わる貫通孔６２を貫通したアイボルト軸７１に取付けられるＳＰロックナット７２とから成る締結体７０とを有している。
【００１３】
また、一方の２つ割れのルーズクランプ本体５０−１の端部に取付けられアイボルト軸７１の回転角度を制限するストッパー５１と、一方の２つ割れのルーズクランプ本体５０−１のストッパー５１の反対側の端部に上下方向に回転可能に取付けられ、他方の２つ割れのルーズクランプ本体５０−２の貫通孔６２の反対側の端部に具備された止め溝６１により固定される掛け金具５２とを有している。
【００１４】
さらに、他方の２つ割れのルーズクランプ本体５０−２の貫通孔６２側に具備され、一方の２つ割れのルーズクランプ本体５０−１の有する溝５３内を可動し、他方の２つ割れのルーズクランプ本体５０−２の左右方向の回転を制限する突起部６０と、一方の２つ割れのルーズクランプ本体５０−１の中央部の連結体設置穴５４を貫通した、２つ割れのルーズクランプ本体５０−１、２と図５のスペーサ１０とを連結する連結体８０とを有している。そしてこの構成により、ルーズ電線把持部１００は、連結体８０を備える一方の２つ割れのルーズクランプ本体５０−１と、他方の２つ割れのルーズクランプ本体５０−２とにより、つぎの図２において説明するように、架空送電線９０を把持する。
【００１５】
図２は、本発明の第１の実施例によるルーズ電線把持部の取付けを示す電線把持図である。ルーズ電線把持部１００は、図１のストッパー５１により設定された角度に開放され、架空送電線９０を挟み込む。続いて図２において、一方の２つ割れのルーズクランプ本体５０−１の掛け金具５２が、他方の２つ割れのルーズクランプ本体５０−２の止め溝６１に入り込み、互いにロックされる。また、他方の２つ割れのルーズクランプ本体５０−２側のＳＰロックナット７２が、一方の２つ割れのルーズクランプ本体５０−１のアイボルト軸７１にねじ込まれて、架空送電線９０を確実に把持する。
【００１６】
このように、架空送電線９０を把持する工程において、ルーズ電線把持部１００が開放されたとき、スペーサ１０に連結された連結体８０が、一方の２つ割れのルーズクランプ本体５０−１の中央部の連結体設置穴５４を貫通しているため、ルーズ電線把持部１００は、連結体８０から離脱することはなく、安全に取付け作業を行うことができる。また図２における、設置が完了したルーズ電線把持部１００は、図６と異なり非対称の形状であるが、締結体７０が１個であるため軽量となると共に、作業数が軽減される。また、締結体７０が連結体８０側にあるため、従来と同様の作業の容易性を維持できる。
【００１７】
図３は、本発明の第２の実施例によるルーズ電線把持部の構成を示す構成図である。図３において、ルーズ電線把持部２００は、２つ割れのルーズクランプ本体５０−３、４と、２つ割れのルーズクランプ本体を開閉自在に結合する図４に示される２本の揺動軸６５と、一方の２つ割れのルーズクランプ本体５０−３の揺動軸６５と反対側に上下方向に回転可能に取付けられたアイボルト軸７１と、他方の２つ割れのルーズクランプ本体５０−４に備わる図４に示される片方が開放されたガイド溝６６を貫通したアイボルト軸７１に取付けられるＳＰロックナット７２とから成る締結体７０とを有する。
【００１８】
また、一方の２つ割れのルーズクランプ本体５０−３を貫通した、２つ割れのルーズクランプ本体５０−３、４とスペーサとを連結する連結体８０を有し、２つ割れのルーズクランプ本体５０−３、４は、連結体８０の回転角を制限する回転止め６７をそれぞれ有している。そしてこの構成により、ルーズ電線把持部２００は、一方の２つ割れのルーズクランプ本体５０−３と他方の２つ割れのルーズクランプ本体５０−４とにより、図４において説明するように架空送電線９０を把持する。
【００１９】
図４は、本発明の第２の実施例によるルーズ電線把持部の取付けを示す電線把持図である。先ず図３において、連結体８０が２つ割れのルーズクランプ本体５０−４の回転止め６７の位置まで回転され、ＳＰロックナット７２が緩められ、２つ割れのルーズクランプ本体５０−３のアイボルト軸７１がガイド溝６６から上方に回転して開放され、２つ割れのルーズクランプ本体５０−３が揺動軸６５を支点に下方に回転して、２つ割れのルーズクランプ本体５０−３、４が互いに開放され、架空送電線９０を挟み込む。続いてアイボルト軸７１がガイド溝６６の位置に戻され、ＳＰロックナット７２がねじ込まれて、図４に示されるように架空送電線９０を確実に把持する。
【００２０】
このように、架空送電線９０を把持する工程においてルーズ電線把持部１００が開放されたとき、スペーサ１０に連結された連結体８０が、一方の２つ割れのルーズクランプ本体５０−３、４の中央部の連結体設置穴６７を貫通しているため、ルーズ電線把持部２００は、連結体８０から離脱することはなく、安全に取付け作業を行うことができる。また、図４の設置が完了したルーズ電線把持部２００は、図６と同様に対称の形状であるが、締結体７０が連結体８０側にないため、従来と同様の作業の容易性を維持することはできない。しかしながら、締結体７０が１個であるため軽量となり、且つ、ストッパー５１、掛け金具５２、および突起部６０を有さないため、コストを削減することが可能となる。
【００２１】
以上説明したように本発明によれば、架空送電線へのスペーサの取付け時に、２つ割れのルーズクランプ本体が分離脱落することのないルーズ電線把持部を提供することができる。
【符号の説明】
【００２２】
５０−１〜４  ２つ割れのルーズクランプ本体
５１  ストッパー
５２  掛け金具
５３  溝
５４  連結体設置穴
６０  突起部
６１  止め溝
６２  貫通孔
６５  揺動軸
６７  回転止め
７０  締結体
７１  アイボルト軸
７２  ＳＰロックナット
８０  連結体
１００  本発明の第１の実施例によるルーズ電線把持部
２００  本発明の第２の実施例によるルーズ電線把持部
【図１】
0005569937.tif 000002
【図２】
0005569937.tif 000003
【図３】
0005569937.tif 000004
【図４】
0005569937.tif 000005
【図５】
0005569937.tif 000006
【図６】
0005569937.tif 000007